(57)【要約】【構成】ブロック体（１０）、スタッド（３８）、サドル形座金対（１２）およびキャップ（６０）からなるバンジョー装置である。ブロック体（１０）を部分的に取り囲み、かつこれに固着するようにサドル形座金対（１２）を折り曲げる。このように構成すると、ブロック体（１０）と座金対（１２）が単一の構成体（６）になり、バンジョー装置の取り付けが簡単になる。このブロック体（１０）はさらにブロック体（１０）の対向面（１４）から延設し、スタッド（３８）に係合してクロッキング機能を発揮する一対の座金（２０、２２）を有する。このように構成すると、キャップ（６０）をスタッド（３８）に締め付けてブロック体（１０）を固定した場合でも、スタッド（３８）およびブロック体（１０）を適正な位置決め状態で維持できる。【選択図】図４Ｃ
2007538216.tif 000002
【特許請求の範囲】
【請求項１】
貫通開口（１６）、この開口（１６）と交差してこの開口（１６）と流体連絡する流体流路（１８）およびブロック体（１０）の一面（１４）から延設する少なくとも一つの壁（２０、２２）を有するブロック体（１０）、および
ブロック体（１０）に貫通した開口（１６）に受け取られるスタッド（３８）を有し、このスタッド（３８）がベース部分（４４）、このベース部分（４４）内に軸方向に設けた流体流路（４０）およびこの流体流路（４０）と流体連絡する半径方向流体ポート（４２）を有し、ブロック体（１０）の開口（１６）にスタッド（３８）を装着したときに、スタッド（３８）の半径方向流体ポート（４２）がブロック体（１０）の流体流路（１８）と流体連絡し、そしてスタッド（３８）のベース部分（４４）とブロック体（１０）から延設した壁（２０、２２）との間の干渉係合によってブロック体（１０）の開口（１６）内でスタッド（３８）が回転することを防止したことを特徴とするバンジョー装置。
【請求項２】
貫通開口（１６）及びこの開口（１６）と交差してこの開口（１６）と流体連絡する流体流路（１８）を有するブロック体（１０）、および
リンク（２８）によって接続された上部座金（２６）および下部座金（２４）を有するとともに、上部座金（２６）および下部座金（２４）のうち一方から延設する少なくとも一つのタブ（３４）を有する座金対（１２）を有するバンジョー装置用ブロック体／座金構成体であって、上下座金（２６、２４）がブロック体の開口に対して位置決めされた状態で、上記座金対がブロック体（１０）を部分的に取り囲みかつこれに保持されるように座金対（１２）を構成したことを特徴とするバンジョー装置用ブロック体／座金構成体（６）。
【請求項３】
スタッド（３８）のベース部分（４４）が、スタッド（３８）をブロック体（１０）の開口（１６）に装着したときに、ブロック体（１０）から延設する壁（２０、２２）に隣接する平坦部（３６）を有することを特徴とし、そして平坦部（３６）と壁（２０、２２）との間の干渉係合によってブロック体（１０）の開口（１６）内でスタッド（３８）が回転することを防止し、スタッド（３８）をブロック体（１０）の開口（１６）内に装着し、かつスタッド（３８）のベース部分（４４）の平坦部（３６）がブロック体（１０）から延設する壁（２０、２２）に隣接したときに、スタッド（３８）の半径方向流体ポート（４２）をブロック体（１０）の流体流路（１８）に対して位置決めできるように構成した請求項１記載のバンジョー装置。
【請求項４】
さらに、リンク（２８）によって接続された上部座金（２６）および下部座金（２４）を有するとともに、上部座金（２６）および下部座金（２４）のうち一方から延設する少なくとも一つのタブ（３４）を有する座金対（１２）を有するバンジョー装置用ブロック体／座金構成体であって、上下座金（２６、２４）がブロック体の開口（１６）に対して位置決めされた状態で、上記座金対がブロック体（１０）を部分的に取り囲みかつこれに保持されるように座金対（１２）を構成した請求項１または３記載のバンジョー装置。
【請求項５】
第１タブ（３４）を上部座金（２６）から延設するとともに、第２タブを下部座金（２４）から延設したことを特徴とし、および／またはブロック体（１０）が少なくとも一つの平坦面（１７）を有し、座金対（１２）がこの平坦面（１７）に係合して座金対（１２）がブロック体（１０）に対して回転することを防止するように構成し、ブロック体（１０）の形状を矩形に構成するとともに、座金（１２）をアルミニウムで構成できるようにした請求項１〜４のいずれか１項記載のバンジョー装置または構成体。
【請求項６】
ブロック体（１０）の開口（１６）がスタッド（３８）の半径方向ポート（４２）とブロック体（１０）の流体流路（１８）との間の流体の流れを促進する環状キャビティを有する請求項１〜５のいずれか１項記載のバンジョー装置または構成体。
【請求項７】
キャップ（６０）をスタッド（３８）に結合してブロック体（１０）をスタッドに固定した請求項１〜６のいずれか１項記載のバンジョー装置または構成体。
【請求項８】
貫通開口（１６）、この開口（１６）と交差してこの開口（１６）と流体連絡する流体流路（１８）およびブロック体（１０）の対向表面（１４）から延設してチャネル（２３）を形成する２つの壁（２０、２２）を有するブロック体（１０）、および
ブロック体（１０）に貫通した開口（１６）に受け取られるスタッド（３８）を有し、このスタッド（３８）がポスト部分（４６）、ベース部分（４４）、このベース部分（４４）内に軸方向に設けた流体流路（４０）およびこの流体流路（４０）と流体連絡するポスト部分（４６）の半径方向流体ポート（４２）を有し、ブロック体（１０）の開口（１６）にスタッド（３８）を装着したときに、スタッド（３８）のベース部分（４４）がブロック体（１０）のチャンネル（２３）に装着し、上記ブロック体に対して所定の角度方向にのみブロック体（１０）のチャネル（２３）内に嵌合するようにスタッド（３８）のベース部分（４４）のサイズを設定し、そしてスタッド（３８）のポスト部分（４６）をブロック体（１０）の開口（１６）に装着し、スタッド（３８）のベース部分（４４）をブロック体（１０）のチャネル（２３）に対して位置決めするとともにこれに装着したときに、スタッド（３８）の半径方向流体ポート（４２）がブロック体（１０）の流体流路（１８）に対して位置決めされるとともにこれと流体連絡するように構成したことを特徴とするバンジョー装置。
【請求項９】
スタッド（３８）のベース部分（４４）とチャネル（２３）の壁（２０、２２）との間の干渉係合の結果として、スタッド（３８）をブロック体（１０）の開口（１６）に装着したときに、スタッド（３８）が回転することを防止した請求項８記載のバンジョー装置。
【請求項１０】
さらに、リンク（２８）によって接続された上部座金（２６）および下部座金（２４）を有するとともに、上部座金（２６）および下部座金（２４）のうち一方から延設する少なくとも一つのタブ（３４）を有する座金対（１２）を有するバンジョー装置であって、上下座金（２６、２４）がブロック体（１０）の開口（１６）に対して位置決めされた状態で、上記座金対がブロック体（１０）を部分的に取り囲みかつこれに保持されるように座金対（１２）を構成するとともに、キャップ（６０）をスタッド（３８）に結合してブロック体（１０）を上記スタッドに固定できるように構成した請求項８または９記載のバンジョー装置。
【発明の詳細な説明】
【技術分野】
【０００１】
バンジョー装置は、流体流れを９０°方向を変えて、あるいはその他の方向に変えて接続対象体にこれを供給する必要がある場合に、流体接続を得るために広く利用されている。
【背景技術】
【０００２】
バンジョー装置の名前は、その形状、通常は円形の構成部品に蝋付け加工した管からなり、ほぼバンジョー形構成になる形状に由来する。同じ機能をもつ他の構成とは異なり、バンジョー装置は動力工具により簡単に組み立てることができ、組み立て時間および接続対象への接続が重要なファクターである用途において特に有利である。
【０００３】
図１Ａおよび１Ｂは、ボルト１０２を挿入する開口１２０をもつブロック体１１８からなる従来のバンジョー装置１００を示す図である。ボルト１０２を対象部品の流体ポート１０４に締め付けることによって、ブロック体１１８とボルト１０２が流体接続を構成する。組み立てると、ブロック体１１８の流路１１２がボルト１０２の流路１１４を介して上記ポート１０４と流体連絡する。漏れを最小に抑えるために、一般的には、銅座金１１６をブロック体１１８の両側に配設し、ボルト１０２を締め付けたときにブロック体１１８の両側に高圧シールを作る。
【発明の開示】
【発明が解決しようとする課題】
【０００４】
従来バンジョー装置１００の問題の一つは、組み立てに必要な広さである。具体的には、座金１１６を別体として使用しているため、ボルト１０２を上記ポート１０４に締め付ける前に、ボルト１０２を一つの座金に挿入し、次にブロック体１１８に挿入し、そして最後にもう一つの座金に挿入する必要がある。このバンジョー装置１００の場合、座金１１６、ブロック体１１８およびボルト１０２を予め組み立てることは不可能である。従って、座金１１６が組み立て作業時に脱離する恐れがあり、また見失う恐れがある。
【０００５】
従来バンジョー装置１００のもう一つの問題は、ブロック体１１８の中心領域１１０を拡張するか、刳り抜き加工する必要がある点である。従来バンジョー装置１００のボルト１０２は締め付け作業時に回転するため、ボルト流路１１４が、組み立て終了時にブロック体流路１１２に対して位置ずれを起こすことがある。この位置ずれ問題を解消するためには、ブロック体１１８の中心領域１１０を刳り抜き加工するか、拡張加工して、ボルト流路１１４の向きが斜めであるにもかかわらず、この流路が中心領域１１０を介してブロック体流路１１２に対して常に流体連絡するように構成する。また、ブロック体１１８の中心領域１１０の拡張加工または刳り抜き加工は、コストのかかる上に時間のかかる作業である。
【０００６】
このように、従来構成に伴う問題に対処できる新規なバンジョー装置が望まれている。
【課題を解決するための手段】
【０００７】
本発明の第１態様は、サドル形座金対からなり、これら座金をバンジョーブロック体周囲に締り固着して所定の位置に保持する新規なバンジョー装置に関する。この結果、ブロック体／座金が一体的な構成体になるため、片手でブロック体／座金構成体を位置決めした状態で、もう一方の手で締め付けることができる。このように設計しているため、組み立て作業がかなり簡単になる上に、輸送時に座金が滑り落ちることもなくなる。一つの具体的な実施態様の場合、一対の座金のうち少なくとも一つにタブを設け、これを折り返し、バンジョーブロック体に固着したときに、一対の座金を所定位置に保持するように構成する。また、このタブはブロック体の平面に係合し、一対の座金がブロック体上で回転するのを防止することができる。
【０００８】
本発明の第２態様は、クロッキング機能をもつことを特徴とする新規なバンジョー装置に関する。なお、クロッキングとは、ある構成部品、ここではバンジョーブロック体を所定の位置に締め付けたときに、これを特定の向きに位置決めすることを意味する。新規なバンジョー装置のこのクロッキング機能は、バンジョーブロック体に少なくとも一つの壁を延設し、バンジョー装置を所定位置に締め付けたときに、この延設した壁がブロック体の回転を防止するようにすると実現できる。このクロッキング機能の結果、バンジョー装置の流体流路がバンジョー装置の締め付け作業全体を通じて位置ずれを起こすことがなくなる。従って、ブロック体の中心領域を拡張加工または刳り抜き加工する必要がなくなるため、製作コストを削減できる。
【発明を実施するための最良の形態】
【０００９】
本発明の好適な実施態様に関して、添付図面について以下説明するが、この説明から本発明の特徴および技術的な作用効果が明らかになるはずである。
【００１０】
一つの実施態様の場合、本発明のバンジョー装置は、バンジョーブロック体１０、サドル形座金対１２、スタッド３８およびキャップ６０からなる。図４Ｂに示すように、ブロック体１０とサドル形座金対１２とが一体的なブロック体／座金構成体６になる。キャップ６０がスタッド３８に係合し、かつこれに受け取られて、スタッド３８に一体的なブロック体／座金構成体６を固着する。
【００１１】
図２Ａおよび図２Ｂに示すように、ブロック体１０はブロック体１０を貫通する中心開口１６、この中心開口１６と流体連絡する流体流路１８、少なくとも一つの平坦外面１７およびブロック体１０の側部１４から延設し、チャネル２３を形成する壁２０、２２を有する。別な実施態様では、単一の壁を使用することができる。この流体流路１８を（図示しない）流体源に接続すると、流体をバンジョー装置により対象部品に流体を供給することができる。
【００１２】
図４Ａに示すように、スタッド３８は、一体的に形成するか、あるいは固着することができるポスト部分４６およびベース部分４４からなる。ポスト部分４６およびベース部分４４の端部には、以下に説明するように、スタッド３８を他の構成部品に連結するための雄ねじを刻設する。キャップ６０は、ポスト部分４６の端部にねじ係合する係合ねじを有する。スタッド３８は、さらに、ベース部分４４内を軸方向に走り、ポスト部分４６に設けられた一つかそれ以上の半径方向流体ポート４２と交差する流体流路４０を有する。バンジョー装置を使用する際には、従来の場合と同様に、このスタッド３８のベース部分４４を（図示しない）油圧部品に取り付け、この油圧部品に対して流体流路４０が流体連絡できるように構成する。
【００１３】
また、スタッド３８のベース部分４４には少なくとも一つの平坦部３６を形成し、ブロック体１０とスタッド３８との適正な位置決めを担保するとともに、上記のクロッキング機能を担保する。具体的には、ベース部分４４の平坦部３６が回転してブロック体１０から延設した壁２０、２２のうち一つに面する位置にこない限り、ブロック体１０がベース部分４４に着座することがないように、ブロック体１０とベース部分４４の寸法を設定すればよい。好適な実施態様の場合、ブロック体１０がベース部分４４に着座したときに、２つの直径方向に対向する平坦部がそれぞれ壁２０および２２に面して位置するようにこれらをベース部分４４に設ける。この実施態様では、スタッド３８のベース部分４４が、特定の角度方向にある場合にのみ、ブロック体１０のチャネル２３内に嵌合することになる。
【００１４】
図３Ａおよび図３Ｂについて説明する。サドル形座金対１２は、リンク２８によって接続した下部座金２４および上部座金２６を有する。下部座金２４または上部座金２６のいずれか一方に、タブ３４を形成し、このタブが直径方向にリンク２８に対向する座金から延長するようにしてもよい。図４Ｂに示すようにブロック体１０を部分的に取り囲むように、図３Ｂに示すように座金対１２を形成する場合には、輸送時、あるいは取り付け時に両方の座金２４、２６をブロック体１０の適正位置に維持できる。特に、ブロック体１０の平坦外面１８にタブ３４を係合すると、座金対１２がブロック体１０上で回転することがなくなる。本発明の好適な実施態様のサドル形座金対１２に一つのタブを設けた例を示すが、当業者ならば、２つのタブからなるサドル形座金対も使用できることを理解できるはずである。座金対１２の構成材料としては、アルミニウム、銅、真鋳などがあり、他の好適な座金材料も使用可能である。なお、アルミニウム製座金を使用すると、すぐれた耐食性が得られる。
【００１５】
バンジョー装置を組み立てるさいには、スタッド３８のポスト部分４６がブロック体１０の中心開口１６およびサドル形座金対１２に貫入するように、ブロック体／座金構成体６をスタッド３８に設ける。この場合、スタッド３８のベース部分４４については、油圧アクチュエータなどの構成部品に固着しておくことができる。なお、ブロック体／座金構成体６をスタッド３８に完全に着座させる前に、ブロック体１０の壁２０、２２をスタッド３８のベース部分４４の平坦部３６に対して位置決めしておく必要がある。このようにすれば、スタッド３８のポート４２に対するブロック体１０の流体流路１８の適正な位置決めを担保することができ、またブロック体流路１８を介してボルト流路４０に流体が流入し、かつこれから流出する。一旦ブロック体１０がスタッド３８に完全に着座したならば、キャップ６０をスタッド３８の突出ポスト部分４６に締め付け、ブロック体／座金構成体６を固着し、流体シールを完成する。
【００１６】
ブロック体１０の壁２０、２２とスタッド３８のベース部分４４が干渉するため、相対的な回転がなくなり、例えキャップ６０をスタッド３８のポスト部分４６に締め付けた場合にも、ブロック体／座金構成体６が正確な角度方向に維持されることになる。即ち、この締め付け作業時、ブロック体１０がクロッキングされるので、キャップ６０の締め付け作業時にブロック体１０の回転を防止するために固着装置を使用する必要がなくなる。
【００１７】
別な実施態様では、ブロック体１０のポスト部分４６周囲の流体の流れを促進するために、ブロック体１０の中心開口１６を拡張加工することができる。通常、この中心開口１６を拡張加工するさいには、図１に示す従来のバンジョー装置の中心領域１１０と同様な凹状の環状空間などを中心開口１６に鋳造か圧延によって形成する。
【００１８】
あるいは、ブロック体１０の中心開口１６の直径を単に流体ポート４２の領域におけるスタッド３８の外径よりも大きくして、ポスト部分４６のこの領域周囲の流体流れを促進してもよい。なお、座金２４、２６の幅については、シール効果を担保できる幅であればよい。
【図面の簡単な説明】
【００１９】
【図１Ａ】従来のバンジョー装置のブロック体およびボルトを示す斜視図である。
【図１Ｂ】従来のバンジョー装置の組み立てた状態を示す斜視図である。
【図２Ａ】本発明の一実施態様のバンジョーブロック体の上面図である。
【図２Ｂ】図２Ａのバンジョーブロック体を示す横断面図である。
【図３Ａ】本発明の一実施態様によるサドル形座金対を示す斜視図である。
【図３Ｂ】図３Ａサドル形座金対を示す横断面図である。
【図４Ａ】本発明の一実施態様によるバンジョー装置のスタッドおよびキャップを示す斜視図である。
【図４Ｂ】図２Ａのバンジョー装置のブロック体に固着した図３Ａのサドル形座金を示す斜視図である。
【図４Ｃ】本発明の一態様に従って組み立てたバンジョー装置を示す斜視図である。
【符号の説明】
【００２０】
１００：従来のバンジョー装置、
６：ブロック／座金構成体、
１０：バンジョーブロック体、
１２：サドル形座金対、
１６：中心開口、
１７：平坦外面、
１８：流体流路、
２０、２２：壁、
２３：チャネル、
３８：スタッド、
４０：流体流路、
４４：ベース部分、
４６：ポスト部分、
６０：キャップ。
【図１Ａ】
2007538216.tif 000003
【図１Ｂ】
2007538216.tif 000004
【図２Ａ】
2007538216.tif 000005
【図２Ｂ】
2007538216.tif 000006
【図３Ａ】
2007538216.tif 000007
【図３Ｂ】
2007538216.tif 000008
【図４Ａ】
2007538216.tif 000009
【図４Ｂ】
2007538216.tif 000010
【図４Ｃ】
2007538216.tif 000011
【国際調査報告】
2007538216.tif 000012